(57)【要約】      （修正有）【課題】回転窓扉および窓口からの犯罪をも十分に防止できて防犯効果が高められる防犯ドアを提供する。【解決手段】ドア本体１に宅配便小包の受け渡しを可能な窓口２を開口し、この窓口にカウンター兼用の回転窓扉５を開閉可能に取り付ける。回転窓扉５はドア外側から押し開き不能で且つドア内側からドア外側に向かって押し開き可能に構成するとともに、ドア本体１の内側に回転窓扉５の内締り扉錠１１を取り付ける。窓口２の内側には格子戸１２若しくはガラス戸を窓口２を閉鎖できる位置と窓口２から退く位置とにわたって移動可能に取り付ける。【選択図】図６
2006132085.tif 000002
【特許請求の範囲】
【請求項１】
ドア本体に宅配便小包の受け渡しを可能にする開口大きさの窓口を設け、この窓口に、カウンター兼用の回転窓扉が前記窓口を閉鎖する姿勢と、ドア外側へ水平に突出する状態に開く姿勢とにわたって軸回りに回転可能に取り付けられている防犯ドアにおいて、
前記回転窓扉がドア外側から押し開き不能で且つドア内側からドア外側に向かって押し開き可能に構成されており、
前記ドア本体の内側に、格子戸若しくはガラス戸が前記窓口を閉鎖できる位置と前記窓口から退く位置とにわたって移動可能に取り付けられていることを特徴とする、防犯ドア。
【請求項２】
前記ドア本体の内側に前記回転窓扉を内部からだけしか施錠、解錠できない内締り扉錠が取り付けられている、請求項１記載の防犯ドア。
【請求項３】
前記窓口の外側下部に、前記回転窓扉が開いたとき該回転窓扉を下側から受け止め支持する扉受部材が取り付けられている、請求項１又は２に記載の防犯ドア。
【請求項４】
前記窓口の内側の下部に受付補助台を取り付けている、請求項１ないし３のいずれか１項に記載の防犯ドア。
【請求項５】
前記回転窓扉の外面に装飾を施している、請求項１ないし４のいずれか１項に記載の防犯ドア。
【発明の詳細な説明】
【技術分野】
【０００１】
本発明は、住宅入口やホテル客室入口などに取り付けられ、在室時の防犯対策を講じた防犯ドアに関する。
【背景技術】
【０００２】
マンション等の集合住宅をはじめ、多くの住宅においては、小包、宅配便、保険その他家庭訪問営業マンなどの応対のために玄関ドアを開けることにより、悪質な営業マンや居直り強盗による犯罪が頻発している。また、ホテルの客室においても、見知らぬ来客や土産物の押し売りをはじめ、ホテルボーイに成りすました窃盗犯などによる犯罪が増加している。
この種の住宅等における防犯を目的とした防犯ドアとして、例えば、玄関扉に窓口を設け、この窓口にカウンター兼用の回転小窓を組み込んでおいて、来訪者のあったときは回転小窓を開けることで来訪者を玄関に入れないで、双方とも顔を見て会話や小荷物の受渡し、集金対応などができるようにしたものが提案されている（特許文献１参照）。
【０００３】
【特許文献１】実開平６−４２９４号公報
【発明の開示】
【発明が解決しようとする課題】
【０００４】
しかるに、カウンター兼用の回転小窓を単に組み込むだけの上記防犯ドアでは、回転小窓が外部から押し開けられたり、応対時に回転小窓を開けた状態においては外部から窓口に手を突っ込まれたりする恐れがあって、窓口からの犯罪を防止できないなどの問題があり、この点でなお改善の余地がある。
【０００５】
本発明は、このような問題を解決するためになされたものであり、その目的とするところは、上記のような、小荷物の受渡し可能な窓口を開口しこの窓口にカウンター兼用の回転窓扉を取り付けた防犯ドアにおいて、回転窓扉および窓口からの犯罪をも十分に防止できて防犯効果が高められる住宅やホテル客室の入口用の防犯ドアを提供することにある。
【課題を解決するための手段】
【０００６】
本発明は、ドア本体に宅配便小包の受け渡しを可能にする開口大きさの窓口を設け、この窓口に、カウンター兼用の回転窓扉が前記窓口を閉鎖する姿勢と、ドア外側へ水平に突出する状態に開く姿勢とにわたって軸回りに回転可能に取り付けられている防犯ドアにおいて、前記回転窓扉がドア外側から押し開き不能で且つドア内側からドア外側に向かって押し開き可能に構成されており、前記ドア本体の内側に、格子戸若しくはガラス戸が前記窓口を閉鎖できる位置と前記窓口から退く位置とにわたって移動可能に取り付けられていることに特徴を有するものである。
【０００７】
ひとつの好適な態様として、本発明による防犯ドアは、前記ドア本体の内側に前記回転窓扉を内部からだけしか施錠、解錠できない内締り扉錠を取り付けることができる。また、前記窓口の外側下部には、前記回転窓扉が開いたとき該回転窓扉を下側から受け止め支持する扉受部材を取り付けることができる。また、前記窓口の内側の下部には受付補助台を取り付けることができる。また、前記回転窓扉の外面には絵画又は写真をプリントするなどして装飾を施すことができる。
【発明の効果】
【０００８】
上記構成の防犯ドアによれば、常態時には窓口を回転窓扉で閉鎖しておくことにより防犯、および外観上通常の住宅入口やホテル客室入口などのドアと変わりないものにすることができる。そして、来訪者のあったときは回転窓扉をドア内側からドア外側に向かって押し開きしてドア外側へ水平に突出させることにより来訪者を玄関に入れないで、窓口を介して双方とも顔を見て会話や小荷物の受渡し、集金対応などが可能である。したがって、防犯ドアを住宅の玄関や勝手口等のドアに適用した場合には悪質な営業マンや居直り強盗などからの被害を防ぐことができ、防犯ドアをホテル客室入口のドアに適用した場合には悪質な娯楽等の勧誘マンやホテルボーイに成りすました窃盗犯などからの被害を防ぐことができる。
【０００９】
しかも、回転窓扉を閉鎖した常態時には回転窓扉がドア外側から押し開き不能にしておくことにより、窓口からの犯罪を確実に防止することができる。とくに、来訪者に窓口を介して応対する時には格子戸若しくはガラス戸で窓口を閉鎖した状態で格子戸若しくはガラス戸越しに応対することにより、窓口から手を突っ込まれる恐れもなくて窓口での防犯をより一層安全確実なものにすることができる。
【００１０】
ドア本体の内側に回転窓扉を内部からだけしか施錠、解錠できない内締り扉錠を取り付けておくことにより、回転窓扉や窓口での犯罪防止をより確実なものにすることができる。
窓口の外側下部に扉受部材を取り付けて、回転窓扉を開いたとき該回転窓扉を受け止め支持するようにしておくことにより、回転窓扉は重量のある宅配便小荷物にも十分に耐え得るカウンター機能を発揮できる。
【００１１】
窓口の内側の下部に受付補助台を取り付けておくことにより、窓口における受付け、応対時に受付補助台上で印鑑を押したり、サインしたりすることができて窓口における応対を円滑にすることができる。回転窓扉の外面にはドア本体の表面や住宅入口又はホテル客室入口に適した絵画や写真をプリントするなどして装飾を施しておくことにより、防犯ドアまわりの環境を良好にする。
【発明を実施するための最良の形態】
【００１２】
本発明の好適な実施形態を図面に基づき説明する。図１は本発明の一実施例を示す防犯ドアを回転窓扉開き状態で内側から見た正面図、図２は図１におけるＡ−Ａ線断面図、図３は図１の防犯ドアを外側から見た正面図、図４は図１の防犯ドアの回転窓扉を開いた状態で示す平面図、図５は図１の防犯ドアを回転窓扉開き状態で示す縦断側面図、図６は図１の防犯ドアを格子戸開き状態で内側から見た正面図、図７は図１の防犯ドアを格子戸閉じ状態で内側から見た正面図、図８は図１の防犯ドアの回転窓扉の窓扉軸部分を示す断面図である。
【００１３】
図１〜図３において、本発明に係る防犯ドアは、金属製又は木製のドア本体１の上部寄り箇所に標準的な大きさの宅配便小包の受け渡しを可能にする最小限の開口大きさ（例えば、縦３００ｍｍ、横３６０ｍｍ）を有する四角形の窓口２を設ける。窓口２の周囲には窓補強材３をドア本体１の框４と剛体結合して窓口２周りの補強を講じる。窓口２には、該窓口２の形状に対応する四角形状に形成された金属製又は木製のカウンター兼用の回転窓扉５が取り付けられる。回転窓扉５は窓口２を閉鎖する姿勢（図２中、破線状態）と、ドア外側へ水平に突出する状態に開く姿勢（図２中、実線状態）とにわたって窓扉軸６回りに９０度回転可能に取り付けられる。図４、図８に示すように、回転窓扉５は窓扉軸６を一体に備え、この窓扉軸６の両端を窓補強材３に固定された軸受７，７に支持することにより外部から壊されたり、取り外されたりすることのない堅牢な枢支構造にしている。
【００１４】
回転窓扉５の外面にはドア本体１の表面や住宅入口又はホテル客室入口に適した絵画又は写真をプリントするなどして装飾を施しておくことにより、防犯ドアまわりの環境を良好にする。
【００１５】
回転窓扉５は、図２、図５に示すように、窓口２の開口上縁２ａに外方狭まり状の斜面８を形成する一方、回転窓扉５の上端面５ａを前記斜面８に突き合せ状に当接する斜面９を形成することでドア外側から押し開き不能に且つドア内側からドア外側に向かって押し開き可能に構成される。図４、図５に示すように、回転窓扉５の内面には把手１０を取り付け、この把手１０を持って回転窓扉５をドア外側へ押し開き易くしている。図６、図７に示すように、ドア本体１の内側には回転窓扉５を内部からだけしか施錠、解錠できないスライド・ボルト、スリップ・ボルト、内掛け等の内締り扉錠１１が取り付けられる。
【００１６】
このように取り付けられた回転窓扉５は、来訪者のあったときはドア内側からドア外側に向かって押し開きすることでドア外側へ水平に突出させることにより来訪者を玄関に入れないで、窓口２を介して双方とも顔を見て会話を可能にし、また水平に開かれた回転窓扉５をカウンターに利用して小荷物の受渡しや集金対応などを可能にする。
【００１７】
図６、図７に示すように、さらに、ドア本体１の内側であって窓口２の上方には、格子戸１２が窓口２を閉鎖できる下降位置（図７参照）と窓口２から上方へ退いて開く上昇位置（図６参照）とにわたってドア本体１に固定された左右のレール１３，１４に沿って上下方向に移動可能に取り付けられる。格子戸１２には左右一対のスライド・ボルト等からなる戸錠１５が取り付けられ、この戸錠１５は、図６に示すごとく格子戸１２が上昇位置では該格子戸１２の下縁を受け止めて保持し、図７に示すごとく格子戸１２が下降位置では該格子戸１２の上縁を押さえて上昇するのをロックする。
【００１８】
このように格子戸１２を併設することにより格子戸１２で窓口２を閉鎖した状態で格子戸越しに応対することができるため、窓口２での防犯をより一層安全確実なものにすることができる。また、在室時において、来客がある度に回転窓扉５を開閉するのが面倒な場合には、回転窓扉５を開いたままにして格子戸１２で窓口２を閉じておくという使い方をすることもできる。
なお、格子戸１２はこの下降位置で窓口２を全閉できるように構成するもよいが、図７のように格子戸１２の下降位置でその下端と開き状態の回転窓扉５の上面との間に、郵便物の受取りができるように隙間１６を設けるように構成することもできる。その隙間１６は、防犯上、外部から腕が入らない程度の大きさとする。
【００１９】
回転窓扉５は重量のある宅配便小荷物にも十分に耐え得るカウンター機能を発揮できるように、図５に示すように、回転窓扉５を開いたとき該回転窓扉５の窓扉軸６側を受け止め支持できる扉受部材１７を窓口２の外側下部に取り付けることが好ましい。
【００２０】
窓口２の開口面積は防犯上最小限に設定する必要があり、そのため回転窓扉５の面積は小さくなるので、その不足分を補って窓口２での受付け、応対時に印鑑を押したり、サインしたりすることができて窓口２における応対を円滑にすることができるように、窓口２の内側の下部に受付補助台１８を取り付けること好ましい。
【００２１】
上記実施例において、格子戸１２としては、図６に示すように金属製の四角形の戸枠１２１に細い桟１２２を縦横、あるいはそのどちらかの方向に透き間１２３をおいて組んだもの以外に、図９（ａ）〜（ｃ）に示すように戸枠１２１内に所定形状の透き間１２３を所要配列に形成したものなどが用いられる。いずれにしても透き間１２３は腕が入らない程度のものとすることが防犯上必要である。また、格子戸１２に代えて、図示省略するが四角形の戸枠にガラス板をはめ込んだガラス戸を取り付けることもできる。格子戸１２あるいはガラス戸はドア本体１の内側であって窓口２の上方に上下方向に移動可能に取り付けるに代えて、窓口２の左右いずれか一方の横側に、窓口２を閉鎖できる位置と窓口２から退く位置とにわたって左右方向に移動可能に取り付けることもできる。
【００２２】
なお、図１に示すように、ドア本体１には必要に応じて郵便受け１９が窓口２の下方に位置するよう設けられ、窓口２の横側には覗き穴２０が設けられる。そのほかに、ドア本体１にはノブを用いたピン・タンブラー錠などのドア錠２１や、より安全のために補助錠２２などが取り付けられている。図１中、２３はドア本体１に取り付けた蝶番である。
【図面の簡単な説明】
【００２３】
【図１】本発明の一実施例を示す防犯ドアを回転窓扉開き状態で内側から見た正面図である。
【図２】図１におけるＡ−Ａ線断面図である。
【図３】図１の防犯ドアを外側から見た正面図である。
【図４】図１の防犯ドアの回転窓扉を開いた状態で示す平面図である。
【図５】図１の防犯ドアを回転窓扉開き状態で示す縦断側面図である。
【図６】図１の防犯ドアを格子戸開き状態で内側から見た正面図である。
【図７】図１の防犯ドアを格子戸閉じ状態で内側から見た正面図である。
【図８】図１の防犯ドアの回転窓扉の窓扉軸部分を示す断面図である。
【図９】（ａ）、（ｂ）、（ｃ）はそれぞれ図１の防犯ドアの格子戸の他例を示す正面図である。
【符号の説明】
【００２４】
１  ドア本体
２  窓口
５  回転窓扉
６  窓扉軸
１１  内締り扉錠
１２  格子戸
１７  扉受部材
１８  受付補助台
【図１】
2006132085.tif 000003
【図２】
2006132085.tif 000004
【図３】
2006132085.tif 000005
【図４】
2006132085.tif 000006
【図５】
2006132085.tif 000007
【図６】
2006132085.tif 000008
【図７】
2006132085.tif 000009
【図８】
2006132085.tif 000010
【図９】
2006132085.tif 000011